(57)【要約】      （修正有）【課題】フレキシブルプリント回路の数量を低減し、回路の複雑性と製造コストを低減する液晶表示(ＬＣＤ)パネルモジュールと、そのスキャンドライバを開示する。【解決手段】ＬＣＤパネルモジュールにはデータ電極とスキャン電極を有するＬＣＤパネル、スキャンドライバ及びデータドライバを備え、スキャンドライバはタイミングコントローラ、スケール調整機能回路及び画像ガンマ変調回路が含まれ、タイミングコントローラは第１クロック信号に従い第１制御信号と第２制御信号を発生し、スキャンドライバは第１制御信号に制御されてスキャン電極を駆動し、スケール調整機能回路は第１表示信号に対応する画像スケールを調整し、それに応じて第２表示信号を出力し、画像ガンマ変調回路は第２表示信号をガンマ変調して第３表示信号を出力し、ＬＣＤパネル上に配置したデータドライバは第２制御信号に従いデータ電極を駆動しＬＣＤパネル上に画像を表示する。【選択図】図３
2007011275.tif 000002
【特許請求の範囲】
【請求項１】
複数のスキャン電極を備える液晶表示（ＬＣＤ）パネルに用いられ、前記複数のスキャン電極が電気的に接続されるスキャンドライバであって、
第１クロック信号に従い第１制御信号と第２制御信号を発生し、前記第１制御信号に従い前記スキャン電極を駆動するタイミングコントローラと、
第１表示信号に対応する画像スケールを調整し、その結果として第２表示信号を出力するスケール調整機能回路と、
前記第２表示信号をガンマ変調して第３表示信号を出力する画像ガンマ変調回路と
を備えており；
前記第２制御信号がデータドライバに印加され、前記データドライバが前記第２制御信号に応じてＬＣＤパネルを駆動し、前記第３表示信号に従って画像を表示するようになっている、スキャンドライバ。
【請求項２】
主電圧をＬＣＤパネルに対する動作電圧に変換するＤＣ変換器を更に備える、請求項１に記載のスキャンドライバ。
【請求項３】
第２ロック信号に応じて前記タイミングコントローラと前記スケール調整機能回路に前記第１クロック信号を印加する位相ロックループ回路を更に備え、第１クロック信号に応答してスケール調整機能回路が前記第１表示信号に従い前記第２表示信号を出力するようになっている、請求項１に記載のスキャンドライバ。
【請求項４】
原表示信号を受信し、前記原表示信号に従い第４表示信号を発生するインタフェース回路と、
前記第１表示信号を発生すべく前記第４表示信号の形式を変換し、前記第１表示信号を前記スケール調整機能回路に印加する画像フォーマット変換器と
を更に備える、請求項３に記載のスキャンドライバ。
【請求項５】
前記第４表示信号がＹＣｂＣｒ形式であり、前記第１表示信号がＲＧＢ形式であり、前記原表示信号がＹＵＶ信号、ＣＣＩＲ−６０１信号又はＣＣＩＲ−６５６信号である、請求項４に記載のスキャンドライバ。
【請求項６】
原表示信号を受信し、前記第１表示信号を発生し、前記原表示信号に従い前記スケール調整機能回路に前記第１表示信号を印加するインタフェース回路を更に備える、請求項３に記載のスキャンドライバ。
【請求項７】
前記原表示信号がシリアルＲＧＢ信号である、請求項６に記載のスキャンドライバ。
【請求項８】
前記原表示信号がパラレルＲＧＢ信号であり、前記第１表示信号が直列伝送される、請求項６に記載のスキャンドライバ。
【請求項９】
前記第３表示信号をアナログ信号に変換し、前記アナログ信号を前記データドライバに印加するため、前記画像ガンマ変調回路と前記データドライバに電気的に接続されるデジタル／アナログ変換器を更に備える、請求項１に記載のスキャンドライバ。
【請求項１０】
請求項１に記載のスキャンドライバを組み込んだ液晶表示(ＬＣＤ)パネルモジュール。
【請求項１１】
プリント回路基板と、
前記プリント回路基板上に配置されている、画像処理実行後、原表示信号と第２クロック信号を出力するための画像処理装置であり、前記スキャンドライバが前記第２クロック信号に従い前記第１クロック信号を発生するようになっている、前記画像処理装置と、
を備え、
前記スキャンドライバが、
前記原表示信号を受信し、前記原表示信号に従い第４表示信号を発生するインタフェース回路と、
前記第４表示信号の形式を変換して前記第１表示信号を発生し、前記スケール調整機能回路に前記第１表示信号を印加する画像フォーマット変換器と、
を更に備える、請求項１０に記載のＬＣＤパネルモジュール。
【請求項１２】
フレキシブルプリント回路を更に備え、
前記フレキシブルプリント回路が前記プリント回路基板と前記ＬＣＤパネルを接続するようになっており、前記画像処理装置が前記フレキシブルプリント回路を介して前記原表示信号と前記第２クロック信号を前記スキャンドライバに伝送するようになっている、請求項１１に記載のＬＣＤパネルモジュール。
【請求項１３】
プリント回路基板と、
前記プリント回路基板上に配置され、且つ、画像処理実行後、原表示信号と前記第２クロック信号を出力するようになっている画像処理装置であり、前記スキャンドライバが前記第２クロック信号に従い前記第１クロック信号を発生するようになっている、前記画像処理装置と；
を更に備え、
前記スキャンドライバが、原表示信号を受信し、前記第１表示信号を発生し、且つ、前記原表示信号に従い前記スケール調整機能回路に前記第１表示信号を出力するインタフェース回路を更に備える、請求項１０に記載のＬＣＤパネルモジュール。
【請求項１４】
前記プリント回路基板と前記ＬＣＤパネルとを接続するフレキシブルプリント回路を更に備え、
前記画像処理装置が前記プリント回路基板上に配置され、前記フレキシブルプリント回路を介して前記原表示信号と前記第２クロック信号を前記スキャンドライバに伝送するようになっている、請求項１３に記載のＬＣＤパネルモジュール。
【発明の詳細な説明】
【関連出願】
【０００１】
本願は、２００５年７月１日出願の台湾出願番号第９４１２２４０５号の出願日の利益を享受するものであり,そのすべての内容は参照により本願明細書に援用したものとする。
【技術分野】
【０００２】
[0001]本発明は広くは表示モジュールと、そのドライバ、特に液晶表示（ＬＣＤ）パネルモジュールと、そのスキャンドライバに関する。
【背景技術】
【０００３】
[0002]図１を参照すると、従来のＬＣＤパネルモジュールの概要図が示されている。ＬＣＤパネルモジュール１００はＬＣＤパネル１１０、スキャンドライバ１２０及びデータドライバ１３０（１）〜１３０（ｎ）を備える。ＬＣＤパネル１１０は多数の表示ユニット、スキャン電極及びデータ電極を有する表示エリヤ１１１を備える。スキャンドライバ１２０はＬＣＤパネル１１０のスキャン電極を制御して横一列毎にＬＣＤパネル１１０の表示ユニット中の薄膜トランジスタをオンさせ、一方、データドライバ１３０（１）〜１３０（ｎ）はデータ電極を介し対応する表示ユニットを駆動して表示エリヤ１１１に画像を表示する。スキャンドライバ１２０及びデータドライバ１３０（１）〜１３０（ｎ）を制御するタイミングコントローラや、ＬＣＤパネルモジュール１００に電圧を供給するＤＣ変換器１６２のような多数の表示関連装置が回路基板１６０上に配置される。
【０００４】
[0003]タイミングコントローラ１６１はデータドライバ１３０（１）〜１３０（ｎ）に制御信号を出力しなければならず、ＤＣ変換器１６２は電圧をＬＣＤパネルモジュール１００に出力しなければならないため、信号を伝送するためフレキシブルプリント回路(FPC)１４０（１）〜１４０(m)が回路基板１６０とＬＣＤパネルモジュール１００との間に配置される。フレキシブルプリント回路１４０（１）〜１４０(m)を介し回路基板１６０上の装置はＬＣＤパネルモジュール１００と通信ができる。
【０００５】
[0004]しかし、それぞれのデータドライバ１３０（１）〜１３０（ｎ）が制御信号を必要とするので非常に多くの伝送ラインが必要である。従って、データドライバ１３０（１）〜１３０（ｎ）に制御信号を伝送するには非常に多数のフレキシブルプリント回路が必要である。ＬＣＤパネルの規模が大きければ大きいほど、必要とされるデータドライバと、それによるフレキシブルプリント回路の数が多くなる。その結果、ＬＣＤパネルに加えて、信号配線の配置に大面積のＬＣＤパネルモジュール１００が必要とされる。データドライバ１３０（１）〜１３０（ｎ）に必要な画像信号、ＬＣＤパネルモジュール１００の動作に必要な電圧信号及びスキャンドライバ１２０に必要な制御信号のような、他の回路１６０とＬＣＤパネルモジュール１００との間に伝送される信号を考慮すると、一層多くのフレキシブルプリント回路がＬＣＤパネルモジュール１００への信号の伝送に必要であり、それにより製造コストが嵩み、回路の複雑さが増加する。
【特許文献１】[0005]米国特許第６,４１７,８２９号明細書
【発明の開示】
【発明が解決しようとする課題】
【０００６】
[0006]従って、本発明の目的は、ＬＣＤパネルモジュールと、そのスキャンドライバを提供することである。本発明によれば、フレキシブルプリント回路の数量が低減でき、回路の複雑性と製造コストが軽減される。
【課題を解決するための手段】
【０００７】
[0007]本発明は上記に示した目的を達成するためにＬＣＤパネルに用いるスキャンドライバを提供する。スキャンドライバはタイミングコントローラ、スケール調整機能回路及び画像ガンマ変調回路を備える。タイミングコントローラは第１クロック信号に従い第１制御信号と第２制御信号を発生し、第１制御信号に従いスキャン電極を駆動する。スケール調整機能回路は第１表示信号に対応する画像スケールを調整し、それに応じて第２表示信号を出力する。画像ガンマ変調回路は第２表示信号をガンマ変調して第３表示信号を出力する。
【０００８】
[0008]更に、第２制御信号はデータドライバに印加され、データドライバは第２制御信号に応じてＬＣＤパネルを駆動するようになっており、第３表示信号に従い画像を表示する。
【０００９】
[0009]本発明は上記に示された目的を達成するためにＬＣＤパネル、スキャンドライバ及びデータドライバを有するＬＣＤパネルモジュールを提供する。ＬＣＤパネルは多数のデータ電極とスキャン電極を有する。スキャンドライバはスキャン電極に電気的に接続され、ＬＣＤパネル上に配置される。スキャンドライバはタイミングコントローラ、スケール調整機能回路及び画像ガンマ変調回路を有する。タイミングコントローラは第１クロック信号に従い第１制御信号と第２制御信号を発生し、第１制御信号に従いスキャン電極を駆動する。スケール調整機能回路は第１表示信号に対応する画像スケールを調整し、それに応じて第２表示信号を出力する。画像ガンマ変調回路は第２表示信号をガンマ変調して第３表示信号を出力する。データドライバはデータ電極に電気的に接続され、ＬＣＤパネル上に配置される。データドライバは第２制御信号に応じてＬＣＤパネルを駆動し、第３表示信号に従い画像を表示するようになっている。
【００１０】
[0010]本発明の他の目的、特徴及び利点は、好ましいが限定的でない実施形態についての以下の詳細な説明から明らかになろう。以下の説明は添付図面を参照して行うこととする。
【発明を実施するための最良の形態】
【００１１】
[0014]図２を参照すると、発明の好ましい実施形態によるＬＣＤパネルモジュールの概略図が示されている。ＬＣＤパネルモジュール２００はＬＣＤパネル２１０、スキャンドライバ２２０、データドライバ２３０（１）〜２３０（ｎ）及びプリント回路基板２６０を備えている。ＬＣＤパネル２１０は多数の表示ユニット、データ電極及びスキャン電極（図示せず）を有する表示エリヤ２１１を含んでいる。スキャンドライバ２２０はスキャン電極を制御して表示ユニットの薄膜トランジスタを横一列毎にオンし、一方、データドライバ２３０（１）〜２３０（ｎ）は対応するデータ電極を駆動してＬＣＤパネル２１０上に画像を表示する。ＬＣＤパネル２１０はフレキシブルプリント回路２４０を介し回路基板２６０上のデバイスに電気的に接続されている。
【００１２】
[0015]画像処理装置２６１は、回路基板２６０上に配置されており、スキャンドライバ２２０に信号を伝送してデータドライバ２３０（１）〜２３０（ｎ）を駆動する。画像処理装置２６１は画像処理を実行後、フレキシブルプリント回路を介し原（オリジナルの）表示信号D０１とクロック信号C２、又は原表示信号D０２とクロック信号C２をスキャンドライバ２２０に出力する。
【００１３】
[0016]図３を参照すると、本発明の好ましい実施形態によるＬＣＤパネルモジュールの構成図が示されている。データドライバ２３０（ｋ）はデータドライバ２３０（１）〜２３０（ｎ）の内の任意の一つを示し、スキャンドライバ２２０と対応するデータドライバ２３０との間の関係を表す。スキャンドライバはＬＣＤパネル２１０のスキャン電極に電気的に接続され、ＬＣＤパネル２１０上に配置されている。スキャンドライバ２２０はフレキシブルプリント回路２４０を介し画像処理装置２６１に電気的に接続されている。スキャンドライバ２２０は位相ロックループ回路２２１、タイミングコントローラ２２２、ＤＣ変換器２２３、画像フォーマット（形式）変換器２２４、スケール調整機能回路２２５、画像ガンマ変調回路２２６、デジタル／アナログ変換器２２７及びインタフェース回路２２８，２２９を備えている。
【００１４】
[0017]ＤＣ変換器２２３は主電圧を変換しＬＣＤパネル２１０に対する動作電圧Ｐ０を発生するものである。位相ロックループ回路２２１はクロック信号Ｃ２に応じてタイミングコントローラ２２２とスケール調整機能回路２２５にクロック信号Ｃ１を印加する。位相ロックループ回路２２１は表示エリヤが新しくなるとともに各種周波数のクロック信号を発生する。タイミングコントローラ２２２はクロック信号Ｃ１に従い制御信号Ｃｔ１，Ｃｔ２を発生する。スキャンドライバ２２０は制御信号Ｃｔ１に従いＬＣＤパネル２１０のスキャン電極を駆動し、一方、データドライバ２３０（ｋ）は制御信号Ｃｔ２に従いＬＣＤパネル２１０のデータ電極を駆動する。
【００１５】
[0018]画像処理装置２６１が原表示信号Ｄ０１とクロック信号Ｃ２を出力すると、スキャンドライバ２２０はその形式に従い異なるインタフェース装置を用いることにより原表示信号Ｄ０１を受信し、対応する信号経路に従い原表示信号Ｄ０１を処理する。例えば、原表示信号Ｄ０１がＹＵＶ信号、ＣＣＩＲ−６０１又はＣＣＩＲ−６５６信号のとき、原表示信号Ｄ０１の受信と、それに応じた画像フォーマット変換器２２４への表示信号Ｄ４の発生と出力にインタフェース回路２２８が使用される。画像フォーマット変換器２２４は表示信号Ｄ４の形式を変換して表示信号Ｄ１を発生する。画像フォーマット変換器２２４は例えば、表示信号Ｄ４がＹＣｂＣｒ形式を有し、表示信号Ｄ１がＲＧＢ形式を有する場合にはＹＣｂＣｒからＲＧＢへのフォーマット変換器となる。
【００１６】
[0019]画像処理装置２６１がシリアルＲＧＢ信号又はパラレルＲＧＢ信号のような原表示信号Ｄ０２と、クロック信号Ｃ２を出力する時、原表示信号Ｄ０２の受信と、原表示信号Ｄ０２に従ってスケール調整機能回路２２５への表示信号Ｄ０５の発生と出力とのためにインタフェース回路２２９が使用される。原表示信号Ｄ０２がパラレルＲＧＢ信号であるとき、インタフェース回路２２９はパラレル表示信号をシリアル表示信号D５に変換する。上述のごとく、スキャンドライバ２２０はＬＣＤパネル２１０への画像の表示のために画像処理装置２６１が出力する多くの表示信号を処理できる。提供される表示信号にはＹＵＶ信号、ＣＣＩＲ−６０１信号又はＣＣＩＲ−６５６信号、ＲＧＢ直列Ｄ［７：０］のような直列ＲＧＢ信号又はＲＧＢ並列Ｄ［２３：０］のようなパラレルＲＧＢ信号が含まれる。
【００１７】
[0020]クロック信号Ｃ１に応答しスケール調整機能回路２２５は表示信号Ｄ１又はＤ５に対応する画像スケールを調整し、それに応じ表示信号Ｄ２を出力する。画像ガンマ変調回路２２６は表示信号Ｄ２をガンマ変調し、それに応じ表示信号Ｄ３を出力する。
【００１８】
[0021]データドライバ２３０（ｋ）はＬＣＤパネル２１０上への画像の表示のために制御信号Ｃｔ２と表示信号Ｄ３に従い表示エリヤ２１１のデータ電極を駆動する。
【００１９】
[0022]また、画像ガンマ変調回路１１６とデータドライバ２３０に電気的に接続したデジタル／アナログ変換器２２７はスキャンドライバ２２０又はデータドライバ２３０（１）〜２３０（ｎ）の内部に配置することができる。デジタル／アナログ変換器２２７は表示信号Ｄ３をアナログ信号に変換し、アナログ信号をデータドライバ２３０に出力するためのものである。
【００２０】
[0023]データドライバ２３０（１）〜２３０（ｎ）は例えば縦続してＬＣＤパネル２１０上に配置される。
【００２１】
[0024]スキャンドライバ２２０には更に、チャージポンプ、プログラマブルＬＥＤコントローラ、コントラスト／輝度／色相／飽和調整装置及びＶＣＯＭ  ＤＣ／ＡＣ調整装置が含まれる。スキャンドライバ２２０は複雑な画像処理を直接実行でき、そのため、ＬＣＤ表示パネル２１０と回路基板２６０との間の信号配線とフレキシブルプリント回路の数が大幅に低減される。
【００２２】
[0025]本発明の上記実施形態に係るＬＣＤパネルモジュールとそのスキャンドライバには以下のような利点がある。ＬＣＤパネルモジュールの新規構造を用いることで、ＬＣＤパネルと回路基板との間の信号伝送負荷が低減され、そのため、フレキシブルプリント回路の数と必要な設置面積が大幅に削減される。従って、ＬＣＤの回路を単純化でき、製造コストが低減され、競争力が強化される。スキャンドライバは各種形式の表示信号に対応でき、それにより、その適用範囲と適合性が拡大される。
【００２３】
[0026]例により、且つ好ましい実施形態に関し本発明を解説してきたが、発明はそれに限定されぬことを理解すべきであり、各種変形、類似する構成、方法を網羅することが意図されており、したがって、付属する特許請求範囲はこのような総ての変形と類似する構成及び方法を包含するような幅の広い解釈を付与されるものとする。
【図面の簡単な説明】
【００２４】
【図１】従来のＬＣＤパネルモジュールの概略図を示す。
【図２】本発明の好ましい実施形態に係るＬＣＤパネルモジュールの概略図を示す。
【図３】本発明の好ましい実施形態によるＬＣＤパネルモジュールの構成図を示す。
【符号の説明】
【００２５】
２００    ＬＣＤパネルモジュール
２１０    ＬＣＤパネル
２１１    表示エリア
２２０    スキャンドライバ
２２１    位相ロックループ回路
２２２    タイミングコントローラ
２２３    ＤＣ変換器
２２４    画像フォーマット変換器
２２５    スケール調整機能回路
２２６    画像ガンマ変調回路
２２７    デジタル／アナログ変換器
２２８    インタフェース回路
２２９    インタフェース回路
２３０    データドライバ
２４０  フレキシブルプリント回路
２６０    プリント回路基板
２６１    画像処理装置
【図１】
2007011275.tif 000003
【図２】
2007011275.tif 000004
【図３】
2007011275.tif 000005